(57)【要約】【課題】本発明は、吸着ノズルで複合電子部品を正確に吸着し、方向認識して実装する実装性を向上させることを目的とするものである。【解決手段】内部にインダクタ部２２および第１，第２コンデンサ部２１、２３を有する積層体を備え、第１のコンデンサ部に設けた第１の内層コンデンサ電極部３２と第３の内層コンデンサ電極部３５、および、第２の内層コンデンサ電極部３３と第４の内層コンデンサ電極部３６との重なり量に応じて容量を調整するものである。【選択図】  図４
2004303947.tif 000002
【特許請求の範囲】
【請求項１】
積層体と、
前記積層体の内部に設けたインダクタ部およびコンデンサ部と、
前記積層体の最外層に前記インダクタ部およびコンデンサ部と電気的に接続する取出電極および前記取出電極の高さより低くなるように設けた前記積層体の方向性を示す認識マークとを備え、
前記コンデンサ部は、少なくとも誘電体シートを挟んだ上下層に設けた内層コンデンサ電極部の重なりにより容量を得るものであり、この容量は、内層コンデンサ電極の重なり量により調整可能とした構成を有する複合電子部品。
【請求項２】
認識マークは、積層体の最外層と同一平面上に設けた請求項１記載の複合電子部品。
【請求項３】
少なくとも積層体の最外層と認識マークとは、主成分が同じ材質のガラスからなる請求項１記載の複合電子部品。
【請求項４】
積層体の内部のインダクタ部およびコンデンサ部は、底面側から第１のコンデンサ部、インダクタ部、第２のコンデンサ部の順に設けた請求項１記載の複合電子部品。
【請求項５】
コンデンサ部の容量調整は、上下で重なり合う内層コンデンサ電極部の一方を上面視で積層体の長手方向にずらしてなる請求項１記載の複合電子部品。
【請求項６】
コンデンサ部の容量調整は、上下で重なり合う内層コンデンサ電極部の一方を上面視で積層体の長手方向に斜めにずらしてなる請求項１記載の複合電子部品。
【請求項７】
コンデンサ部の容量調整は、上下で重なり合う内層コンデンサ電極部の一方を他方の内層コンデンサ電極部の太さと異ならせてなる請求項１記載の複合電子部品。
【発明の詳細な説明】
【０００１】
【発明の属する技術分野】
本発明は、複合電子部品に関するものである。
【０００２】
【従来の技術】
以下、本発明の従来の技術について、説明する。
【０００３】
従来の複合電子部品は、積層体の最外層にこの積層体の端面または側面が規定できるように、積層体の中央部分以外に方向認識マークを備えていた。この方向認識マークは、樹脂や導体を印刷により形成するため、積層体の最外層の面から突出していた。
【０００４】
上記下従来の技術に近い先行技術としては、以下のものが知られている。
【０００５】
【特許文献１】
特開２０００−３５３６２０号公報
【０００６】
【発明が解決しようとする課題】
上記した複合電子部品の形状が小さくなればなるほど方向認識マークの印刷が所定箇所よりずれて設けてしまうことがある。この方向認識マークが所定箇所よりずれた複合電子部品を吸着ノズル等で吸着して実装基板に実装する際に、最外層で方向認識マークが突出しているために、吸着ノズルで吸着できないという問題点を有していた。
【０００７】
また、方向認識マークを薄く形成すると、チップ部品の角の欠け防止のためのバレル研磨時に削れてしまい、チップ実装時の方向認識が出来なくなるという問題があった。
【０００８】
本発明は、上記従来の問題点を解決するもので、吸着ノズルで複合電子部品を正確に吸着し、方向認識して実装する実装性を向上させることを目的とするものである。
【０００９】
【課題を解決するための手段】
上記目的を達成するために本発明は、認識マークを複合電子部品の最外層に有する取出電極の高さより低く設けるものである。この構成により、複合電子部品の最外層に認識マークが突出しないため、吸着ノズルで複合電子部品を吸着し実装する実装性を向上できるという作用を有するものである。
【００１０】
【発明の実施の形態】
以下本発明の一実施の形態における複合電子部品について、図面を参照しながら説明する。
【００１１】
図１は本発明の一実施の形態における複合電子部品の斜視図、図２は本発明の一実施の形態における複合電子部品の一部を切欠いた斜視図、図３は同分解斜視図である。
【００１２】
図１，図２，図３に示すように、本実施の形態における複合電子部品は、積層体１と、この積層体１の最外層の一方の長手方向の上面、側面および底面にかけて設けた第１の取出電極２、第２の取出電極３と、この第１，第２の取出電極２，３と対向する積層体１の長手方向の上面、側面および底面にかけて設けた第３，第４の取出電極４，５と、積層体１の上面に第１，第２，第３，第４の取出電極２，３，４，５の高さよりも低く、積層体１の最外層と同一平面上に設けた認識マーク１１を備えるものである。
【００１３】
積層体１は、その内部に底面側から第１のコンデンサ部２１、インダクタ部２２、第２のコンデンサ部２３を備えている。第１のコンデンサ部２１は、ガラスセラミックなどからなる第１の誘電体シート３１の一方の長手方向の上面に、端部から中央部に向かって、印刷によりＡｇ系またはＣｕ系からなる第１，第２の内層コンデンサ電極部３２，３３を有する。さらに、これら第１，第２の内層コンデンサ電極部３２、３３を有する第１の誘電体シート３１の上面に第１の誘電体シート３１と同一成分からなる第２の誘電体シート３４を設ける。この第２の誘電体シート３４の上面には他方の長手方向の上面に端部から中央部に向かって、印刷によりＡｇ系またはＣｕ系などからなる第３，第４の内層コンデンサ電極部３５，３６を有する。これら第３，第４の内層コンデンサ電極部３５，３６と第１，第２の内層コンデンサ電極部３２，３３とは、第２の誘電体シート３４を介した重なり量により、所望するコンデンサの容量を調整できる。
【００１４】
また、インダクタ部２２は、第１のコンデンサ部２１の第２の誘電体シート３４の上部に設けられ、Ａｇ系またはＣｕ系などからなる渦巻き状の内部導体４２を印刷した複数枚の第３の誘電体シート４１からなるものである。この渦巻き状の内部導体４２は、誘電体シート４１に設けたバイア電極４３を介して電気的に接続している。これら渦巻き状の内部導体４２を有する誘電体シート４１の枚数または渦巻き数または内部導体４２の線幅などを設定することにより、所望のインダクタンス値に調整できる。
【００１５】
また、インダクタ部２２と、第３，第４の内層コンデンサ電極部３５、３６間の浮遊容量を調整するために、ガラスセラミックなどからなる第４の誘電体シート４４を１枚または複数枚設けてもよい。
【００１６】
また、第１の誘電体シート３１から最外層側には、第４の誘電体シート４４を複数枚設けている。
【００１７】
第２のコンデンサ部２３は、インダクタ部２２の上面に、第１のコンデンサ部２１と同様な構成で設けるものであるので、同一符号を付し説明を省略する。
【００１８】
第１の取出電極２は、第１のコンデンサ部２１の第１の内層コンデンサ電極部３２と、インダクタ部２２の一方の渦巻き状の内部導体４２、および第２のコンデンサ部２３の第１の内層コンデンサ電極部３２と電気的に接続する。第２の取出電極３は、第１のコンデンサ部２１の第２の内層コンデンサ電極部３３と、インダクタ部２２の他方の渦巻き状の内部導体４２、および第２のコンデンサ部２３の第２の内層コンデンサ電極部３３と電気的に接続する。第３の取出電極４は、第１のコンデンサ部２１の第３の内層コンデンサ電極部３５、第２のコンデンサ２３の第３の内層コンデンサ電極部３５と電気的に接続する。さらに、第４の取出電極５は、第１のコンデンサ部２１の第４の内層コンデンサ電極部３６と、第２のコンデンサ２３の第４の内層コンデンサ電極部３６と電気的に接続する。
【００１９】
また、認識マーク１１は、積層体１の最外層であって第５の誘電体シート４５と同一平面上に主成分が同じ材質のガラスにより、積層体１の端面または側面が規定できるように、積層体１の中央部以外に設けている。すなわち、認識マーク１１を設けた側、つまり上面視にて積層体１の４辺のうち最も近い辺を有する面が所望する方向性を示す端面として認識できる。本発明の一実施形態では、認識マーク１１を設けた側の取出電極、すなわち、第１の取出電極２と第２の取出電極３にインダクタ部２２が接続されていることを認識できるように構成されている。
【００２０】
また、本発明の一実施形態の認識マーク１１の形状は、円形であるが、任意の形状で構成してもよい。
【００２１】
以上のように構成される複合電子部品について、以下にそのコンデンサ部の容量調整について、図面を参照しながら説明する。
【００２２】
図４（ａ）は本発明の一実施の形態における複合電子部品の要部である第１のコンデンサ部における第１の内層コンデンサ電極部と第２の内層コンデンサ電極部との重なり量を説明する図、図４（ｂ）は図４（ａ）のＸ−Ｘ線断面図、図４（ｃ）は図４（ａ）のＹ−Ｙ線断面図である。
【００２３】
図に示すように、複合電子部品の要部である第１のコンデンサ部２１の容量は、第１の内層コンデンサ電極部３２と第３の内層コンデンサ電極部３５の重なり量、および、第２の内層コンデンサ電極部３３と第４の内層コンデンサ電極部３６との重なり量に応じて決定する。
【００２４】
また、図５に示すように、第１の内層コンデンサ電極部３２および第２の内層コンデンサ電極部３３に比べて、上面視が第３の内層コンデンサ電極部３５および第４の内層コンデンサ電極部３６をずらして設けることにより各々の重なり量が変わるため、第１のコンデンサ部２１の容量は、図４に示す容量よりも小さくなる。
【００２５】
また、図６に示すものも同様に、第１の内層コンデンサ電極部３２および第２の内層コンデンサ電極部３３に比べて、上面視が第３の内層コンデンサ電極部３５および第４の内層コンデンサ電極部３６を斜めに設けることにより各々の重なり量が変わるため、第１のコンデンサ部２１の容量は、図４に示す容量よりも小さくなる。
【００２６】
なお、上述した図４〜図６は、第１のコンデンサ部２１について説明したが、第２のコンデンサ部２３にのみ適用しても、第１，第２のコンデンサ部２１，２３の両方に適用しても同様の効果を奏する。
【００２７】
さらに、コンデンサ部の容量調整は、上下で重なり合う内層コンデンサ電極部の一方を、他方の内層コンデンサ電極部の太さと異ならせて調整することも可能である。
【００２８】
なお、認識マーク１１は、積層体１の最外層と同一平面上に主成分が同じ材質のガラスにより、積層体１の端面または側面が規定できるように、積層体１の中央部以外に設けている。すなわち、認識マーク１１を設けた側、つまり上面視にて積層体１の４辺のうち最も近い辺を有する面が所望する方向性を示す端面として認識できる。
【００２９】
以上のように、認識マーク１１を、積層体１の最外層に設けた第１，第２，第３，第４の取出電極２，３，４，５の高さより低く設けることにより、複合電子部品の最外層に認識マークが突出しないため、吸着ノズルで複合電子部品を吸着し実装する実装性を向上できるとともに、誘電体シートを挟んだ上下層に設けた内層コンデンサ電極部の重なりにより発現する容量を、内層コンデンサ電極部の重なり量により調整することができるという効果を奏する。
【００３０】
また、認識マーク１１を、積層体１の最外層に埋設して最外層と同一平面上に設けることにより、認識マークを薄くしても欠落しないため、方向認識して実装する実装性を向上できるという効果を奏する。
【００３１】
さらに、少なくとも積層体１の最外層と認識マーク１１とは、主成分が同じ材質のガラスにより構成することにより、認識マークを薄くしても欠落しないため、方向認識して実装する実装性を向上できるという効果を奏する。
【００３２】
また、コンデンサ部の容量調整は上下で重なり合う内層コンデンサ電極部の一方を他方の内層コンデンサ電極部の太さと異ならせても良い。
【００３３】
【発明の効果】
以上のように本発明は、吸着ノズルで複合電子部品を吸着し実装する実装性が向上できるという効果とともに、平易な方法でコンデンサ部の容量を調整することができるという効果を奏するものである。
【図面の簡単な説明】
【図１】本発明の一実施の形態における複合電子部品の斜視図
【図２】本発明の一実施の形態における複合電子部品の一部を切欠いた斜視図
【図３】同分解斜視図
【図４】（ａ）本発明の一実施の形態における複合電子部品の要部である第１のコンデンサ部における第１の内層コンデンサ電極部と第２の内層コンデンサ電極部との重なり量を説明する図
（ｂ）図４（ａ）のＸ−Ｘ線断面図
（ｃ）図４（ａ）のＹ−Ｙ線断面図
【図５】（ａ）本発明の他の実施の形態における複合電子部品の要部である第１のコンデンサ部における第１の内層コンデンサ電極部と第２の内層コンデンサ電極部との重なり量を説明する図
（ｂ）図５（ａ）のＸ−Ｘ線断面図
（ｃ）図５（ａ）のＹ−Ｙ線断面図
【図６】（ａ）本発明のさらに他の実施の形態における複合電子部品の要部である第１のコンデンサ部における第１の内層コンデンサ電極部と第２の内層コンデンサ電極部との重なり量を説明する図
（ｂ）図６（ａ）のＸ−Ｘ線断面図
（ｃ）図６（ａ）のＹ−Ｙ線断面図
【符号の説明】
１  積層体
２  第１の取出電極
３  第２の取出電極
４  第３の取出電極
５  第４の取出電極
１１  認識マーク
２１  第１のコンデンサ部
２２  インダクタ部
２３  第２のコンデンサ部
３１  第１の誘電体シート
３２  第１の内層コンデンサ電極部
３３  第２の内層コンデンサ電極部
３４  第２の誘電体シート
３５  第３の内層コンデンサ電極部
３６  第４の内層コンデンサ電極部
４１  第３の誘電体シート
４２  内部導体
４３  バイア電極
４４  第４の誘電体シート
４５  第５の誘電体シート
【図１】
2004303947.tif 000003
【図２】
2004303947.tif 000004
【図３】
2004303947.tif 000005
【図４】
2004303947.tif 000006
【図５】
2004303947.tif 000007
【図６】
2004303947.tif 000008